【事件の表示】
　特許第３１４６５０３号「感熱情報記録媒体」の請求項１ないし３に係る特許に対する特許異議の申立てについて、次のとおり決定する。
【結　論】
　訂正を認める。
　特許第３１４６５０３号の請求項１ないし３に係る特許を維持する。
【理　由】
Ｉ．手続の経緯
　本件特許第３１４６５０３号に係る発明は、平成３年３月３０日に出願され、平成１３年１月１２日にその発明の特許の設定登録がなされた。
　本件特許公報は、平成１３年３月１９日に発行され、その特許に対して、特許異議申立人大和田百合子より特許異議の申立があり、取消理由通知がなされ、その指定期間内である平成１４年４月２日付けで訂正請求がなされたものである。
II．訂正の適否についての判断
１．訂正の内容
　平成１４年４月２日付訂正請求における訂正の内容は、以下のとおりである。
ａ．特許請求の範囲【請求項２】の「該第１の感熱記録層と発色温度が異なり、かつ発色時に赤外波長領域に光吸収特性の無い感熱発色材料を主成分とし、赤外波長領域の光を透過する第２の感熱記録層」を「第１の感熱記録層に記録する情報と異なるダミー情報を記録するようにした、該第１の感熱記録層と発色温度が異なり、かつ発色時に赤外波長領域に光吸収特性の無い感熱発色材料を主成分とし、赤外波長領域の光を透過する第２の感熱記録層」と訂正する。
ｂ．明細書の段落【０００８】の「該第１の感熱記録層と発色温度が異なり、かつ発色時に赤外波長領域に光吸収特性の無い感熱発色材料を主成分とし、赤外波長領域の光を透過する第２の感熱記録層」を「第１の感熱記録層に記録する情報と異なるダミー情報を記録するようにした、該第１の感熱記録層と発色温度が異なり、かつ発色時に赤外波長領域に光吸収特性の無い感熱発色材料を主成分とし、赤外波長領域の光を透過する第２の感熱記録層」と訂正する。
ｃ．明細書の段落【０００１０】、段落【００３７】の「第１の感熱記録層の感熱発色材料と発色温度が異なり、かつ発色時に赤外波長領域に光吸収特性の無い感熱発色材料を主成分とする第２の感熱記録層」を「第１の感熱記録層に記録する情報と異なるダミー情報を記録するようにした、第１の感熱記録層の感熱発色材料と発色温度が異なり、かつ発色時に赤外波長領域に光吸収特性の無い感熱発色材料を主成分とする第２の感熱記録層」と訂正する。
ｄ．明細書の【図面の簡単な説明】欄中、「【図８】本発明の第１の発明の感熱情報記録媒体の平面図である。」を「【図８】本発明の第２の発明の感熱情報記録媒体の平面図である。」と訂正する。
２．訂正の目的の適否、新規事項の有無及び拡張・変更の存否
  上記訂正ａは、特許明細書の特許請求の範囲の請求項２の「第２の感熱記録層」について、明細書の段落【００３１】の「…とくに第２の感熱記録層の発色温度は第１の感熱記録層の発色温度よりも低くてすむため、第１の感熱記録層に記録する情報と異なる、例えば、ダミー情報を記録し、さらに第２の感熱記録層の発色温度で第１、第２の感熱記録層への真の情報の記録を同時に行うことができ、外見上はダミー情報を含む第２の感熱記録層だけが見え、第１の感熱記録層に記録された真の情報を検知することは困難である。…」との説明で示された範囲内の使用態様に、より狭く限定するものであるから、特許法第１２０条の４第２項但し書き第１号に規定する特許請求の範囲の減縮を目的とする訂正に該当するものであって、願書に添付した明細書の範囲内の訂正であって、実質上特許請求の範囲を拡張し又は変更するものではない。
  上記訂正ｂ、ｃは、上記訂正ａによる特許請求の範囲の減縮の訂正に伴い、特許請求の範囲と発明の詳細な説明欄の記載との不整合を正すものであるから、特許法第１２０条の４第２項但し書き第３号に規定する明瞭でない記載の釈明に該当するものであり、願書に添付した明細書の範囲内の訂正であって、実質上特許請求の範囲を拡張し又は変更するものではない。
ｄ．上記訂正ｄは、明細書の【図面の簡単な説明】欄中の【図８】に係る説明「本発明の第１の発明の感熱情報記録媒体の平面図である。」を「本発明の第２の発明の感熱情報記録媒体の平面図である。」と訂正するものであるが、【図８】が第２の発明の感熱情報記録媒体の図面であることは、明細書の段落【００２５】及びそれ以降の記載内容から明白であるから、明らかな誤記の訂正であり、特許法第１２０条の４第２項但し書き第２号に規定する誤記の訂正に該当するものであり、願書に添付した明細書の範囲内の訂正であって、実質上特許請求の範囲を拡張し又は変更するものではない。
３．むすび
　以上のとおりであるから、上記訂正請求は、特許法第１２０条の４第２項及び同条第３項で準用する第１２６条第２〜３項の規定に適合するので、当該訂正を認める。
III．特許異議の申立てについて
１．本件発明
　平成１４年４月２日付訂正明細書の請求項１〜３に係る発明は、その特許請求の範囲の請求項１〜３に記載される以下のとおりのものである。
「【請求項１】シート状または板状の基材上に、少なくとも発色時に赤外波長領域に光吸収特性を有する第１の感熱発色材料と、該第１の感熱発色材料と発色温度が異なり、かつ発色時に赤外波長領域に光吸収特性の無い第２の感熱発色材料とを主成分とする混合体からなる感熱記録層を積層してなり、可視波長領域では、第１及び第２の感熱発色材料に対する記録情報を読み取ることができ、赤外波長領域では、第１の感熱発色材料に対する記録情報のみを読み取ることができることを特徴とする感熱情報記録媒体。
【請求項２】「シート状または板状の基材上に、少なくとも発色時に赤外波長領域に光吸収特性を有する感熱発色材料を主成分とする第１の感熱記録層と、第１の感熱記録層に記録する情報と異なるダミー情報を記録するようにした、該第１の感熱記録層と発色温度が異なり、かつ発色時に赤外波長領域に光吸収特性の無い感熱発色材料主成分とし、赤外波長領域の光を透過する第２の感熱記録層を順次積層してなり、可視波長領域では、少なくとも第２の感熱発色材料に対する記録情報を読みとることができ、赤外波長領域では、第１の感熱発色材料に対する記録された情報のみを読み取ることができることを特徴とする感熱情報記録媒体。
【請求項３】前記シート状または板状の基材と感熱記録層との層間に磁気記録層、隠蔽層を積層してなることを特徴とする請求項１または２のいずれかに記載の感熱情報記録媒体。」
２．特許異議申立の概要
　特許異議申立人は、本件請求項１〜３に係る発明は、それぞれ、甲第１〜５号証に記載された発明から容易に想到しえたものであり、特許法第２９条第２項の規定に違反して特許されたものであるから、特許を取り消すべきと主張している。
３．甲号各証とそれらの概要
　異議申立人が証拠として提出した甲第１〜５号証の内容は、概略以下のとおりである。
甲第１号証：特開昭６３−３５３８３号公報
　甲第１号証には、
「【請求項１】支持体上に２種以上の発色層を有し、第１発色層が低エネルギーで発色し高エネルギーで消色する発色層であり、 第２発色層が低エネルギーで発色せず高エネルギーで発色する２段発色性感熱記録材料において、いずれか一方の発色層は７００ｎｍ以上の吸収を有せず、７００ｎｍ以下の吸収を有し、他方は７００ｎｍ以上の吸収を有し、７００ｎｍ以下の吸収を有しない発色層であることを特徴とする２段発色性感熱記録材料。」（特許請求の範囲）〈記載事項ア〉、
「近年、発色画像が可視光域の吸収を有するのみならず、近赤外領域、即ち７００ｎｍ以上の吸収を有するものが提案されている。・・・これらのロイコ染料を用いることによって、近赤外領域での画像認識が可能となり、光学文字読取装置や、発光ダイオードや半導体レーザーを光源とするバーコードリーダー等の実用に供することが可能となってきた。しかしながら、２段発色画像記録材料において低エネルギー付与で発色する画像と高エネルギーで発色する画像の２つの画像を、色調を鮮明にする提案は種々なされているものの、読取りに関する提案は未だなされていないのが現状である。バーコードリーダー等の読取り方式の用途としては、食品店等の他に、物流の配送システムや、工場、倉庫の在庫管理の他、近年では工場の生産ラインシステムや品質管理面での用途も増大してきている。従って１種のバーコードラベルで７００ｎｍ以下の光で読取り可能で７００ｎｍ以上の光で読取り不可能なものがあれば上記の用途の中で有用であり、それに応じて品種等の流れ等を効率的に制御することが可能となってくる。
〔目的〕本発明は低エネルギー付与と、高エネルギー付与によって異なる吸収波長を有する画像を形成し、７００ｎｍ以上の吸収と７００ｎｍ以下の吸収を有する画像を形成させることによってその読取りを制御することを目的とする。」（第２頁左上欄第７行〜同頁右上欄第１７行）〈記載事項イ〉、
「本発明の層構成の例としては、支持体の表面に高温発色層を設け、その上に消色剤層を設け、更にその上に低温発色層を設けることを基本とする。」（第２頁左下欄第１０〜１２行）〈記載事項ウ〉、
「本発明の感熱記録材料は、例えば、前記した各成分を含む感熱層形成用塗液を、紙、合成紙、プラスチックフィルムなどの適当な支持体上に塗布し、乾燥することによって製造され、各種の記録分野、殊に、画像を光学的に読取る分野に利用され、バーコードラベルや、券紙、回数券等に有用に利用される。
〔効果〕本発明によって得られる２段発色感熱記録材料は、それぞれの発色画像の光吸収波長が異なることを利用して各種の光学式読取り装置で読取りの制御が可能となり、特にバーコードラベルとして用いる、流通分野の配送システム、在庫管理システム、工場生産ラインシステムで効率的に利用することができる。」（第６頁左上欄第８行〜同頁右上欄第２行）〈記載事項エ〉と記載され、
さらに実施例１として、
紙支持体上に、
７００ｎｍ以上の発色吸収を有するフタリド系感熱発色材料を主成分とする下側感熱記録層、
セルロース系樹脂やカルバモイルベンゼン系熱可融性物質を含有する消色剤層、
７００ｎｍ以下の発色吸収を有するアニリノフルオラン系感熱発色材料を主成分とする上側感熱記録層、
を順次積層して２段発色性感熱記録材料を調製したこと、
該２段発色性感熱記録材料を０．５ｍＪ／dotの低エネルギー付与でサーマルヘッド加熱すると、上側感熱記録層が発色して黒色画像が得られ、６３２．８ｎｍレーザー光源で読取ると、画像部分の反射低下率は８５％と大きく読取りが容易であり、一方、９００ｎｍLED光源で読取ると、画像部分の反射低下率は２０％以下と小さく読取りにくいこと、
該２段発色性感熱記録材料を１．５ｍＪ／dotの高エネルギー付与でサーマルヘッド加熱すると、上側感熱記録層は消色し、下側感熱記録層が発色して緑青色画像が形成され、９００ｎｍLED光源で読取ると、画像部分の反射低下率は８５％と大きく読取りが容易であり、一方、６３２．８ｎｍレーザー光源で読取ると、画像部分の反射低下率は２５％以下と小さく読取りにくいこと〈記載事項オ〉が示されている。
甲第２号証：特公昭４９−６９号公報
　甲第２号証には、
「発色反応温度の異なる２種以上の発色基本物質を混合したものを紙等の基材上に塗布して被膜を形成せしめ、上記各発色基本物質に対応した温度で加熱することにより異なった色彩で記録せしめることを特徴とする多色感熱記録法。」（特許請求の範囲）〈記載事項カ〉と記載され、
実施例１として、上質紙表面に、オーミラン系発色基本物質（１５０℃で青紫に発色）、フルオラン系発色基本物質（２００℃で朱赤に発色）、フェノール系顕色化合物、樹脂ラテックスからなる塗工液を塗工、乾燥して得た感熱記録紙に、１５０℃加熱体を数秒間接触させると青紫色の記録ができ、２００℃加熱体を数秒間接触させると朱赤色の記録ができたこと〈記載事項キ〉が示されている。
甲第３号証：特開昭６２−２７８０８４号公報
　甲第３号証には、
「（１）基材上に、ロイコ染料系感熱材料またはジアゾ系感熱材料からなる感熱発色層及び隠蔽層が順次積層されてなることを特徴とする記録媒体。」（特許請求の範囲第１項）〈記載事項ク〉、
「…感熱発色層、隠蔽層からなる積層体を形成して、サーマルヘッドで情報パターンを印字すれば、感熱発色層に発色により形成される情報パターンは隠蔽層により目視できないが、赤外線を照射すると発色した部分は赤外線の反射率が低く、未発色の部分とでは赤外線の反射率が異なり、この反射率の差を利用して印字された情報パターンを読み取ることができる…」（第２頁左上欄第６〜１３行）〈記載事項ケ〉、
「〈発明の効果〉　本発明の記録媒体は、情報が目視不可能に記録できるため、一般の磁気テープと同様の使い方ができ、且つ、磁気テープのように、市販の磁気ビュアー等の器具、装置で情報が容易に読み取られることはなく極めて高い偽造防止性を有する。」（第５頁左上欄第１４〜２０行）〈記載事項コ〉、
「…本発明の一態様の接着剤を有するものを利用して、例えば、磁気カード、ＩＣカード、光力一ド、磁気通帳等の記録媒体に本発明の記録媒体を設ければ更に情報が付加できると共に、その偽造防止性も高まる。」（第５頁右上欄第８〜１２行）〈記載事項サ〉と記載され、第３図には、赤外線反射層を備えた基材の裏面に接着剤層、その表面に、順次、感熱発色層、隠蔽層、保護層を積層した感熱記録媒体であって、磁気カード等に貼付するに好適なもの〈記載事項シ〉が示されている。
甲第４号証：特開昭４８−１５５４０号公報
　甲第４号証には、
「トリフェニルメタン系染料のロイコ体もしくはフルオラン系染料のロイコ体と、融点が６０〜１３０℃のフェノール性物質もしくは融点が６０〜１３０℃で分子内に水酸基をもった有機酸とを発色成分とし、両発色成分を物理的に隔離している水溶性隔離物質を含有している第１の発色層と、トリフェニルメタン系染料のロイコ体もしくはフルオラン系染料のロイコ体と、融点が１３０℃以上のフェノール性物質もしくは融点が１３０℃以上で分子内に水酸基をもった有機酸とを発色成分とし、前記両発色成分を物理的に隔離している水溶性隔離物質を含有している第２の発色層とにより構成したことを特徴とする２色発色形感熱性記録紙。」（特許請求の範囲）〈記載事項ス〉と記載され、
実施例１として、
クリスタルバイオレットラクトン染料のロイコ体、融点１５６℃のフェノール性物質、ポリビニルアルコールを含有する第２発色層、次いで、ローダミンラクタム染料のロイコ体、融点１０３℃のフェノール性物質、ポリビニルアルコールを含有する第１発色層を順次積層した２色発色形感熱性記録紙を調製して、温度制御熱ペンで加熱記録すると、８５℃で第１発色層の発色により赤色の記録ができ、１１０℃で第２発色層の発色により青紫色の記録ができたこと〈記載事項セ〉が示されている。
甲第５号証：特開平２−１３４２８６号公報
　甲第５号証には、
「基体上に磁気記録層、磁気隠蔽層、感熱発色層、第１保護層及び第２保護層が順次成層されてなる積層構成を有し、該磁気隠蔽層、感熱発色層及び第１保護層が、それぞれポリエステルポリウレタン樹脂を含有し、第２保護層が、アクリル樹脂、紫外線硬化型樹脂及びポリウレタン樹脂から選択された樹脂を含有することを特徴とする感熱磁気記録媒体。」（特許請求の範囲）〈記載事項ソ〉、
「従来の技術　・・・最近では、有効なスペース利用の観点から、感熱記録層を磁気記録層と同一面に設けることが要求される様になってきている。その場合、磁気記録層と感熱記録層の間に磁気記録層の着色を隠蔽する磁気隠蔽層を設けることが必要になってくる。従って、この場合の記録媒体は、基体上に磁気記録層、磁気隠蔽層、感熱発色層、第１保護層、第２保護層を順次成層した構成を有するものとなっている。」（第１頁左下欄末行〜第２頁左上欄第３行）〈記載事項タ〉と記載されている。
４．検討・判断
（１）本件請求項１に係る発明について
本件請求項１に係る発明と、甲第１号証に記載の発明とを対比すると、
後者の「支持体」、「７００ｎｍ以上の発色吸収を有するフタリド系感熱発色材料」、「７００ｎｍ以下の発色吸収を有するアニリノフルオラン系感熱発色材料」、「６３２．８ｎｍレーザー光源での読取り」、「９００ｎｍLED光源での読取り」は、それぞれ、前者の「シート状または板状の基材」、「少なくとも発色時に赤外波長領域に光吸収特性を有する第１の感熱発色材料」、「第１の感熱発色材料と発色温度が異なり、かつ発色時に赤外波長領域に光吸収特性の無い第２の感熱発色材料」、「可視波長領域での読み取り」、「赤外波長領域での読み取り」に相当しており（前掲記載事項ア〜オ参照）、
また、後者での６３２．８ｎｍレーザー光源（可視波長領域）読取り、及び、９００ｎｍLED光源（赤外波長領域）読取り、それぞれで各画像部分の反射低下率に数十％の大きな差が存在することは、選択的な読取りが可能であることを意味するから、結局、
両者は、「シート状または板状の基材上に、少なくとも発色時に赤外波長領域に光吸収特性を有する第１の感熱発色材料と、該第１の感熱発色材料と発色温度が異なり、かつ発色時に赤外波長領域に光吸収特性の無い第２の感熱発色材料とに係る感熱記録層が設けられており、赤外波長領域では、第１の感熱発色材料に対する記録された情報のみを読み取ることができることを特徴とする感熱情報記録媒体。」の構成で一致するが、
感熱記録層の層構成について、前者では、第１の感熱発色材料と、第２の感熱発色材料とが共に同じ感熱記録層に配合され、単一の感熱記録層からなるのに対して、後者では、第１の感熱発色材料と、第２の感熱発色材料とがそれぞれ別の感熱記録層に配合され、２層の積層構造の感熱記録層からなる点《相違点ａ》、及び、
可視波長領域での記録情報読み取りについて、前者では、単一の感熱記録層からなり且つ第２の感熱発色材料は消色しないので、第１及び第２の感熱発色材料に対する記録情報を読み取ることができるのに対して、後者では、複数の感熱記録層からなり且つ第２の感熱発色材料は消色するので、第１及び第２の感熱発色材料に対する記録情報を読み取ることができない点《相違点ｂ》で相違する。
　相違点について検討する。
《相違点ａ》に関して、甲第２号証には、２種類の感熱発色材料を単一層に配合した感熱記録材料が一応示されているが、可視光域で異なる感熱発色をする２種類の感熱発色材料を用いての多色カラー記録、可視光域での同時読み取りに係るものであり、甲第１号証の可視光域・赤外光域それぞれで感熱発色する感熱発色材料を組み合わせての多重記録、個別読み取りの感熱記録材料とは、感熱発色材料の組み合わせ方式や、情報の記録・読み取り方式など主要な構成が全く別異のものであるから、甲第２号証での複数感熱記録材料の単一層配合を甲第１号証のものに適用することはできない。
  他の甲号各証のいずれにも、《相違点ａ》、《相違点ｂ》に係る構成について記載や示唆はない。
　そして、本件請求項１に係る発明は、上記相違点に係る構成により、他の構成と相俟って、明細書第２３〜２４段落に記載のとおり、真の情報とダミー情報とを併せて感熱記録し、改ざん防止や真偽判別を行うことができるとの特段の作用効果を奏するものである。
　結局、本件請求項１に係る発明は、甲第１〜５号証の記載に基づいて、当業者が容易に発明し得たものとはいえず、特許法第２９条第２項の規定に違反して特許されたものとはいえない。
（２）本件請求項２に係る発明について
  本件請求項２に係る発明と、甲第１号証に記載の発明とを対比すると、
後者の「支持体」、「７００ｎｍ以上の発色吸収を有するフタリド系感熱発色材料を主成分とする下側感熱記録層」、「７００ｎｍ以下の発色吸収を有するアニリノフルオラン系感熱発色材料を主成分とする上側感熱記録層」、「６３２．８ｎｍレーザー光源での読取り」、「９００ｎｍLED光源での読取り」は、それぞれ、前者の「シート状または板状の基材」、「少なくとも発色時に赤外波長領域に光吸収特性を有する感熱発色材料を主成分とする第１の感熱記録層」、「第１の感熱記録層と発色温度が異なり、かつ発色時に赤外波長領域に光吸収特性の無い感熱発色材料主成分とし、赤外波長領域の光を透過する第２の感熱記録層」、「可視波長領域での読取り」、「赤外波長領域での読取り」に相当しており（前掲記載事項ア〜オ参照）、
また、後者での６３２．８ｎｍレーザー光源（可視波長領域）読取り、及び、９００ｎｍLED光源（赤外波長領域）読取り、それぞれで各画像部分の反射低下率に数十％の大きな差が存在することは、選択的な読取りが可能であることを意味するから、結局、
両者は、「シート状または板状の基材上に、少なくとも発色時に赤外波長領域に光吸収特性を有する感熱発色材料を主成分とする第１の感熱記録層と、該第１の感熱記録層と発色温度が異なり、かつ発色時に赤外波長領域に光吸収特性の無い感熱発色材料主成分とし、赤外波長領域の光を透過する第２の感熱記録層を順次積層してなり、可視波長領域では、少なくとも第２の感熱発色材料に対する記録情報を読みとることができ、赤外波長領域では、第１の感熱発色材料に対する記録された情報のみを読み取ることができることを特徴とする感熱情報記録媒体。」の構成で一致するが、
後者では、第１感熱記録層の感熱記録に際して第２感熱記録層は消色するので、両感熱発色層の感熱記録順序や感熱記録パターンが制約されており、第２感熱記録層を、「第１感熱記録層に記録する情報と異なるダミー情報を記録するように」できない点《相違点ｃ》で前者と相違する。
　相違点について検討する。
《相違点ｃ》に関して、甲第３号証には、感熱記録材料の偽造防止応用に関して、感熱発色層を隠蔽層の下に隠して、記録情報を目視不可能とし、赤外線読み取りによる方式が示されているが、真の情報の在処と内容を隠蔽するダミー情報までも感熱記録することについては、何らの記載も示唆もない。
  他の甲号各証のいずれにも、《相違点ｃ》に係る構成について記載や示唆はない。
　そして、本件請求項２に係る発明は、上記相違点に係る構成により、他の構成と相俟って、明細書第３１〜３３段落に記載のとおり、「…第２の感熱記録層…ダミー情報を記録し、さらに第２の感熱記録層の発色温度で第１、第２の感熱記録層への真の情報の記録を同時に行うことができ、外見上はダミー情報を含む第２の感熱記録層だけが見え、第１の感熱記録層に記録された真の情報を検知することは困難である」との特段の作用効果を奏するものである。
　結局、本件請求項２に係る発明は、甲第１〜５号証の記載に基づいて、当業者が容易に発明し得たものとはいえず、特許法第２９条第２項の規定に違反して特許されたものとはいえない。
（３）本件請求項３に係る発明について
　本件請求項３に係る発明は、請求項１または請求項２に係る発明のすべての構成を引用し、さらに「前記シート状または板状の基材と感熱記録層との層間に磁気記録層、隠蔽層を積層してなる」との構成を付加したものであるから、甲第１号証の発明に対して、請求項１に係る発明または請求項２に係る発明と同様の相違点を有しており、上記（１）、（２）と同様の検討内容から、やはり、甲第１〜５号証の記載に基づいて、当業者が容易に発明し得たものとはいえず、特許法第２９条第２項の規定に違反して特許されたものとはいえない。
５．むすび
　以上のとおりであり、特許異議申立の理由及び証拠によっては、本件請求項１〜３に係る発明の特許を取り消すことはできない。
 また、他に本件請求項１〜３に係る発明の特許を取り消すべき理由を発見しない。
　よって、結論のとおり決定する。
【異議決定日】
平成１４年４月２３日（２００２．４．２３）
【訂正の要旨】
訂正の要旨
　特許第３１４６５０３号発明の特許明細書を　下記のとおり訂正する。
訂正事項ａ．特許請求の範囲の減縮を目的として、特許請求の範囲【請求項２】の「該第１の感熱記録層と発色温度が異なり、かつ発色時に赤外波長領域に光吸収特性の無い感熱発色材料を主成分とし、赤外波長領域の光を透過する第２の感熱記録層」を「第１の感熱記録層に記録する情報と異なるダミー情報を記録するようにした、該第１の感熱記録層と発色温度が異なり、かつ発色時に赤外波長領域に光吸収特性の無い感熱発色材料を主成分とし、赤外波長領域の光を透過する第２の感熱記録層」と訂正する。
訂正事項ｂ．明瞭でない記載の釈明を目的として、明細書の段落【０００８】の「該第１の感熱記録層と発色温度が異なり、かつ発色時に赤外波長領域に光吸収特性の無い感熱発色材料を主成分とし、赤外波長領域の光を透過する第２の感熱記録層」を「第１の感熱記録層に記録する情報と異なるダミー情報を記録するようにした、該第１の感熱記録層と発色温度が異なり、かつ発色時に赤外波長領域に光吸収特性の無い感熱発色材料を主成分とし、赤外波長領域の光を透過する第２の感熱記録層」と訂正する。
訂正事項ｃ．明瞭でない記載の釈明を目的として、明細書の段落【０００１０】、段落【００３７】の「第１の感熱記録層の感熱発色材料と発色温度が異なり、かつ発色時に赤外波長領域に光吸収特性の無い感熱発色材料を主成分とする第２の感熱記録層」を「第１の感熱記録層に記録する情報と異なるダミー情報を記録するようにした、第１の感熱記録層の感熱発色材料と発色温度が異なり、かつ発色時に赤外波長領域に光吸収特性の無い感熱発色材料を主成分とする第２の感熱記録層」と訂正する。
訂正事項ｄ．誤記の訂正を目的として、明細書の【図面の簡単な説明】欄中、「【図８】本発明の第１の発明の感熱情報記録媒体の平面図である。」を「【図８】本発明の第２の発明の感熱情報記録媒体の平面図である。」と訂正する。
（５４）【発明の名称】
感熱情報記録媒体
（５７）【特許請求の範囲】
　【請求項１】シート状または板状の基材上に、少なくとも発色時に赤外波長領域に光吸収特性を有する第１の感熱発色材料と、該第１の感熱発色材料と発色温度が異なり、かつ発色時に赤外波長領域に光吸収特性の無い第２の感熱発色材料とを主成分とする混合体からなる感熱記録層を積層してなり、可視波長領域では、第１及び第２の感熱発色材料に対する記録情報を読み取ることができ、赤外波長領域では、第１の感熱発色材料に対する記録情報のみを読み取ることができることを特徴とする感熱情報記録媒体。
　【請求項２】シート状または板状の基材上に、少なくとも発色時に赤外波長領域に光吸収特性を有する感熱発色材料を主成分とする第１の感熱記録層と、
第１の感熱記録層に記録する情報と異なるダミー情報を記録するようにした、
　【請求項３】前記シート状または板状の基材と感熱記録層との層間に磁気記録層、隠蔽層を積層してなることを特徴とする請求項１または２のいずれかに記載の感熱情報記録媒体。
【発明の詳細な説明】
　【０００１】
　【産業上の利用分野】本発明は感熱発色により情報記録が可能な複数の感熱発色材料からなる感熱情報記録媒体に係り、とくに少なくとも一つの感熱発色材料による感熱発色部分が赤外線吸収可能である不正読み取り防止機能、偽造改竄防止機能を有する感熱情報記録媒体に関する。
　【０００２】
　【従来の技術】従来より、感熱発色材料、例えばロイコ染料、ジアゾ染料などを紙、プラスチックシートなどの基材に塗布形成した感熱記録媒体に対して、感熱ヘッドなどにより簡単に文字、数字、マーク、模様などの情報の記録ができ、しかも目視による情報の読み取りができるという特徴により、買い物スタンプなど機密性の低い或いは価値の低い情報の記録に用いられていた。すなわち、改竄、偽造は極めて簡易であることと、記録できる情報量が少ないため、用途が限られていた。
　【０００３】また、近年、磁気記録媒体、光記録媒体、電子記録媒体など情報記録媒体とよばれるものは、その記録情報の記録量の多さと機械による書き込み・読み取りが可能なところから、例えばカードのような形態をとり、クレジットカード、キャッシュカード、ＩＤカード、プリペイドカード、乗車券、回数券、定期券等として多くの分野で利用されている。とくに磁気記録媒体はその経済性、安定性から急激に普及している。
　【０００４】ところで、上記の情報記録媒体は機械による書き込み・読み取りが可能であるが、情報記録媒体の所有者にとっては目視による情報の読み取りが不可能で、記録された情報を確認するためには読み取り装置に情報記録媒体を読み取らせる必要があった。そこでカード所有者の利便を図る上で書き込まれる情報の少なくとも一部を目視可能となるように情報記録媒体の表面にインキによる印字手段、或いはロイコ染料、ジアゾ染料等の感熱発色材料による感熱発色記録、Ｓｎ、Ｐｂ、Ｃｄ等の低融点金属材料による加熱溶融記録など感熱記録層を形成し、加熱印字手段により情報記録することが行われている。現在、磁気記録媒体に感熱記録層を形成したプリペイドカードが実用化されており、磁気記録層に固定情報、識別情報、残額情報等を記録し、感熱記録層に磁気記録層の情報に対応する、例えば最新の残額情報等を追記していく方式がとられている。
　【０００５】
　【発明が解決しようとする課題】しかしながら、感熱発色記録は記録の簡易性、経済性が高い反面、アルコール、有機溶剤による記録情報の消去、或いは感熱ヘッドにより偽情報の書き込み、書き換えなど、偽造、変造、改竄が容易に行うことができるなどの欠点を有している。また、加熱溶融記録も記録の簡易性、耐侯性、安定性が高いものの、記録情報の一部を削除あるいは加筆により容易に改竄することが可能である。さらに感熱記録層を磁気記録媒体との組み合わせにおいても、磁気記録自体も磁気カードリーダライタの普及により容易に手に入れることが可能となり、記録情報の読み取り、消去、書き換えがその分野の知識を有するものであれば、容易に行うことができるため、偽造、変造、改竄が容易できることは明らかである。偽造に対しては、情報記録媒体自体の真偽を判定する手段として、その表面にホログラムを形成またはホログラムを形成したシールを貼着することが行われているが、ホログラムを機械により読み取ることはできず、感熱記録層に表示された可視情報自体の真偽を判断する手段は無かった。
　【０００６】そこで本発明は上述の問題点を解決すべくなされたものであり、感熱記録層、とくに感熱発色記録における記録情報の表示内容および情報記録媒体の偽造、変造、改竄に対して、その判別を容易にかつ正確に判別することのできる感熱情報記録媒体を提供することを目的とする。
　【０００７】
　【課題を解決するための手段】上記の目的を達成すべくなされた本発明は、第１の発明の感熱情報記録媒体は、シート状はたは板状の基材上に、少なくとも発色時に赤外波長領域に光吸収特性を有する第１の感熱発色材料と、該第１の感熱発色材料と発色温度が異なり、かつ発色時に赤外波長領域に光吸収特性の無い第２の感熱発色材料とを主成分とする混合体からなる感熱記録層を積層してなり、可視波長領域では、第１及び第２の感熱発色材料に対する記録情報を読み取ることができ、赤外波長領域では、第１の感熱発色材料に対する記録情報のみを読み取ることができることを特徴とする。
　【０００８】第２の発明の感熱情報記録媒体は、シート状または板状の基材上に、少なくとも発色時に赤外波長領域に光吸収特性を有する感熱発色材料を主成分とする第１の感熱記録層と、
第１の感熱記録層に記録する情報と異なるダミー情報を記録するようにした、
　【０００９】
　【作用】本発明の第１の発明によれば、感熱記録層を発色時に赤外波長領域に光吸収特性を有する第１の感熱発色材料と、第１の感熱発色材料と発色温度が異なり、かつ発色時に赤外波長領域に光吸収特性の無い第２の感熱発色材料とを主成分とする混合体により形成し、それぞれ加熱温度を変えることによって２種類の情報を記録することができ、可視光または赤外光により、読み取りが可能である。とくに同一情報を同一パターンで記録した場合、第１の感熱発色材料の発色温度での記録と、その発色温度と異なる第２の感熱発色材料の発色温度での記録が同一面上のほぼ同じ位置に重なって存在するが、可視波長領域の読み取り光の照射により、第１の感熱発色材料による記録と第２の感熱発色材料による記録を読み取り、赤外波長領域の読み取り光の照射では、第１の感熱発色材料による記録のみを読み取ることが可能となる。また記録が同じ位置に一部が重なるようにしても同様に可能である。
　【００１０】また第２の発明によれば、感熱記録層を発色時に赤外波長領域に光吸収特性を有する第１の感熱発色材料を主成分とする第１の感熱記録層と、
第１の感熱記録層に記録する情報と異なるダミー情報を記録するようにした、
　【００１１】
　【実施例】本考案の一実施例を図面を用いて詳細に説明する。図１は本発明の感熱情報記録媒体の平面図であり、図２は図１のＸ−Ｘ’線における本発明の感熱情報記録媒体の断面図である。
　【００１２】図中の１は本発明の感熱情報記録媒体であり、２は基材であり、３は発色時に赤外波長領域に光吸収特性を有する第１の感熱発色材料と、第１の感熱発色材料と発色温度が異なり、かつ発色時に赤外波長領域に光吸収特性の無い第２の感熱発色材料との混合体を主成分とする感熱記録層であり、４は感熱記録層を傷や擦れから保護する保護層であり、必要に応じて設けられる。なお、図示しないが赤外波長領域の読み取り光の情報パターンに対する反射光を検出しやすくするために基材２と感熱記録層３の間には必要に応じて赤外線反射層を設けてもよい。
　【００１３】基材２はシート状または板状のものであって、ポリ塩化ビニル、ポリエチレン、ポリプロピレン、ポリイミド、ポリカーボネート、ポリエチレンテレフタレート、ポリエステル、ポリメタクリル酸メチル、ポリスチレン、ナイロン等のプラスチック類、紙、合浸紙、合成紙等の紙類、アルミニウム、銅、鉄等の金属を単体、或いは組み合わせて複合体として用いることができる。基材に要求される物性は強度、剛性、隠蔽性、光透過性など用途に応じて上記材料から適宜選択される。
　【００１４】感熱記録層３は感熱発色材料と高分子結着剤を主成分として構成される。感熱発色材料は発色時に赤外波長領域に光吸収特性を有する第１の感熱発色材料と第１の感熱発色材料と発色温度が異なり、かつ発色時に赤外波長領域に光吸収特性の無い第２の感熱発色材料との混合体である。
　【００１５】第２の感熱発色材料は図３に示すような発色濃度−エネルギー曲線を有する高感度の発色特性を示し、また第１の感熱発色材料は図４のような発色濃度−エネルギー曲線を有する低感度の発色特性を示し、かつ図３の発色濃度−エネルギー曲線と比べ、高いエネルギー（加熱温度）で発色するものである。
　【００１６】本発明の感熱記録層３は、以下に述べる感熱発色染料と顕色剤からなる感熱発色材料を組み合わせることによって得ることができる。さらに両感熱発色材料の発色は色相の差が無いことが好ましい。感熱発色染料には一例として有機金属塩、ロイコ染料、ジアゾ染料等があり、具体的には有機金属塩ではステアリン酸ニッケル、オレイン酸鉄、ステアリン酸第２鉄、オレイン酸銅があり、ロイコ染料ではフルオラン系化合物、フルオレン系化合物、フタリド誘導体があり、フルオラン系化合物では３−ジメチルアミノ−６−メトキシフルオラン、７−アセトアミノ−３−ジメチルアミノフルオラン、３−ジメチルアミノ−５，７−ジメチルフルオラン、３−ジエチルアミノ−５，７−ジメチルフルオラン、３，６−ビス−β−メトキシエトキシフルオランがあり、フルオレン系化合物では３−（ｐ−アミノフェニル）フルオレンがあり、フタリド誘導体では３，３−ビス（ｐ−ジメチルアミノフェニル）−６−ジメチルアミノフタリド、３，３−ビス（ｐ−ジメチルアミノフェニル）−フタリド、３，３−ビス（ｐ−ジメチルアミノフェニル）−６−ジエチルアミノフタリド、３，３−ビス（ｐ−ジメチルアミノフェニル）−６−ニトロフタリド、３，３−ビス（ｐ−ジブチルアミノフェニル）−フタリドがる。さらにこれらと作用して発色する顕色剤としては、フェノール、クレゾール、ヒドロキノンなどがある。高分子結着剤はアクリル樹脂、塩化ビニル樹脂、ポリエステル樹脂等がある。
　【００１７】第１の感熱発色材料と第２の感熱発色材料は、上記の化合物の染料と顕色剤とをそれぞれ適当な組み合わせ、例えばマイクロカプセルに内包して作ることができる。
　【００１８】本実施例では、ロイコ染料を使用した。第２の感熱発色材料は図３のような発色濃度−エネルギー曲線を示すフタリド系化合物の比較的融点の低い高感度タイプの発色材料と顕色剤、〔３，３−ビス（ｐ−ジメチルアミノフェニル）−フタリドとｐ−ヒドロキシ安息香酸ベンジル〕を、第１の感熱発色材料は第２の感熱発色材料の融点と重ならない図４のような発色濃度−エネルギー曲線を示すフルオラン系化合物の融点の極めて高い極低感度タイプの発色材料と顕色剤、〔３−（ｐ−アミノフェニル）フルオレンとビスフェノールＳ〕を使用し、それぞれ適当な高分子結着剤、例えばポリエステルに分散させたものをロールコート法、ナイフエッジ法、グラビア印刷法、スクリーン印刷法などの塗布、印刷方法を用いて、厚さ４〜１０μｍ程度に感熱記録層３を形成するものである。
　【００１９】保護層４は外部からの擦れや傷に対する保護効果を得るもので、アクリル樹脂、塩化ビニル樹脂、ポリエステル樹脂、ニトロセルロースなどの樹脂をトルエン、キシレンなどの溶剤に溶かした塗液をロールコート法、ナイフエッジ法、グラビア印刷法、スクリーン印刷法などの塗布、印刷方法を用いて、厚さ１〜３μｍ程度に形成する。その他に公知の熱硬化型樹脂、紫外線硬化型樹脂を用いることも可能である。さらに感熱記録時のサーマルヘッド適性を改善する目的でシリコンアクリル、ステアリン酸亜鉛、ワックス等の滑剤を添加してもよい。
　【００２０】また赤外線反射層は赤外線の反射効率の高い材料を用いるものであって、アルミニウム、クロム、ニッケル、センダスト、スズ等の真空蒸着、スパッタリング、メッキによる金属薄膜、炭酸カルシウム、酸化チタン、酸化バリウム、酸化亜鉛、タルク等を主成分とし、アクリル樹脂、塩化ビニル樹脂、ポリエステル樹脂、ニトロセルース等のバインダーに混入分散して得られた白色系のインキまたは塗料を周知のロールコート法、ナイフエッジ法、グラビア印刷法、スクリーン印刷法などの塗布、印刷技術を用いて赤外線反射層を形成するものである。また、基材２に赤外線反射層を兼ねさせることも可能であり、白色、乳白色系のポリ塩化ビニル、ポリエチレンテレフタレートが好ましい。
　【００２１】本実施例で以上のように構成した感熱情報記録媒体において、感熱記録層３への記録及び読み取りは次のように行っている。
　【００２２】図３のような発色濃度−エネルギー曲線を示す第２の感熱発色材料に対し、従来公知のサーマルヘッド等の加熱印字手段により、パターン状の、例えば文字、数字、マーク、バーコード等の情報（パターン情報）５を可視情報として墨色に発色させ感熱記録する。さらに図４のような発色濃度−エネルギー曲線を示し、かつ第２の感熱発色材料より高い温度で発色する第１の感熱発色材料に対し、同様に従来公知のサーマルヘッド等の加熱印字手段により、パターン状の、例えば文字、数字、マーク、バーコード等の情報（パターン情報）６を可視領域とともに赤外波長領域での読み取りが可能になるように緑色に発色させ感熱記録する。
　【００２３】第１の感熱発色材料への記録が第２の感熱発色材料への記録と重なるため、第１の感熱発色材料の緑色の発色が第２の感熱発色材料の墨色の発色にマスキングされ、見かけ上は第２の感熱発色材料の墨色の発色のみが見えるため、感熱情報記録媒体の真偽判別を行う場合、マスキングされる第１の感熱発色材料への記録が存在するか否かにより容易にその判別が可能となる。すなわち第２の感熱発色材料は第１の感熱発色材料の発色のない温度で発色させることが可能であるため、第１の感熱発色材料の発色のみの記録を行い、これらの記録をダミー情報とすることができ、また真の情報は第２の感熱発色材料への記録で行うことができ、しかも第１と第２の感熱発色材料の発色は同一平面上にあり、色相の差が無いことから、第１の感熱発色材料の発色を検知することは困難となる。とくに第２の感熱発色材料に対する記録パターンを第１の感熱発色材料に対する記録パターンと同一または異なるようにしてもよい。第１の感熱発色材料の発色温度が第２の感熱発色材料の発色温度よりも高い場合は、両感熱発色材料に対する情報を同時に記録することができる。
　【００２４】感熱記録層３に記録された情報を読み取る方法は図示はしないが、特定波長の赤外線を照射し、感熱情報記録媒体の記録面から反射される赤外線を検出する検出装置により読み取ることができる。第２の感熱発色材料が発色したダミー情報の部分と未発色の第１および第２の感熱発色材料の部分はそれぞれ図５、図６に示すような分光反射特性を有し、図７に示すように７００ｎｍ以上の赤外波長領域において、第１の感熱発色材料が発色した真の情報の部分はほとんど赤外線を反射しないため、この反射率の差から情報を読み取ることが可能である。情報をバーコードのようなパターンで形成すれば、パターンに応じた出力信号を得ることができ、出力信号から真偽判別、データ内容を認識がなされる。また、ＩＲスコープを用いて目視によって文字、数字、マーク、パターンを直接見ることも可能である。
　【００２５】図８は本発明の第２の発明にかかる感熱情報記録媒体の平面図であり、図９は図８のＹ−Ｙ’における感熱情報記録媒体の断面図である。
　【００２６】図中の１１は感熱情報記録媒体であり、１２は基材であり、１３は発色時に赤外波長領域に光吸収特性を有する感熱発色材料を主成分とする第１の感熱記録層であり、１４は第１の感熱記録層と発色温度が異なり、かつ発色時に赤外波長領域に光吸収特性の無い感熱発色材料主成分とする第２の感熱記録層であり、１５は感熱記録層を傷や擦れから保護する保護層であり、必要に応じて設けられる。なお、図示しないが赤外波長領域の読み取り光の情報パターンに対する反射光を検出しやすくするために基材１２と第１の感熱記録層１３の間には必要に応じて赤外線反射層を設けてもよい。
　【００２７】それぞれを構成する材料およびそれらの組み合わせについては、上述のものと同一であるため、ここでは省略する。
　【００２８】本実施例で以上のように構成した感熱情報記録媒体において、感熱記録層３への記録及び読み取りは次のように行っている。
　【００２９】第２の感熱記録層１４は第１の感熱記録層の発色温度より低い温度で発色し、しかも赤外線を透過する、赤外波長領域に光吸収特性の無い感熱発色材料を主成分としており、また発色時に赤外波長領域に光吸収特性を有する感熱発色材料を主成分とする第１の感熱記録層１３は未発色部分は赤外線に対し、分光反射特性を示すことが必要であり、例えば、第１の感熱記録層の感熱発色材料は３，３−ビス（ｐ−ジメチルアミノフェニル）−フタリドとｐ−ヒドロキシ安息香酸ベンジルの混合体であり、第２の感熱記録層の感熱発色材料は３−（ｐ−アミノフェニル）フルオレンとビスフェノールＳの混合体である。それぞれの発色濃度−エネルギー曲線は図１０、図１１に示す。
　【００３０】図１１のような発色濃度−エネルギー曲線を示す第２の感熱記録層に対し、従来公知のサーマルヘッド等の加熱印字手段により、パターン状の、例えば文字、数字、マーク、バーコード等の情報（パターン情報）１６を可視情報として色に発色させ感熱記録する。さらに図１０のような発色濃度−エネルギー曲線を示し、かつ第２の感熱記録層より高い温度で発色する第１の感熱記録層に対し、同様に従来公知のサーマルヘッド等の加熱印字手段により、パターン状の、例えば文字、数字、マーク、バーコード等の情報（パターン情報）１７を可視情報とともに赤外波長領域での読み取りが可能になるように例えば緑色に発色させ感熱記録する。
　【００３１】とくに第２の感熱記録層の発色温度は第１の感熱記録層の発色温度よりも低くてすむため、第１の感熱記録層に記録する情報と異なる、例えばダミー情報を記録し、さらに第２の感熱記録層の発色温度で第１、第２の感熱記録層へ真の情報の記録を同時に行うことができ、外見上はダミー情報を含む第２の感熱記録層だけが見え、第１の感熱記録層に記録された真の情報を検知することは困難である。また第２の感熱記録層の発色温度で第１の感熱記録層へ真の情報の記録がなくてもよく、第２の感熱記録層の情報を読み取ることができれば、その感熱情報記録媒体は改竄、変造、偽造がなされていない真であることが証明される。
　【００３２】第１および第２の感熱記録層に記録される情報の形態はパターン、文字、数字、マーク、バーコード等である。
　【００３３】感熱記録層１３に記録された情報を読み取る方法は図示はしないが、特定波長の赤外線を照射し、感熱情報記録媒体の記録面から反射される赤外線を検出する検出装置により読み取ることができる。第２の感熱記録層の感熱発色材料が発色したダミー情報の部分と未発色の第１および第２の感熱記録層の感熱発色材料の部分はそれぞれ図１２、図１３に示すような分光反射特性を有し、図１４に示すように７００ｎｍ以上の赤外波長領域において、真の情報の部分はほとんど赤外線を反射しないため、この反射率の差から情報を読み取ることが可能である。情報をバーコードのようなパターンで形成すれば、パターンに応じた出力信号を得ることができ、出力信号から真偽判別、データ内容を認識がなされる。また、ＩＲスコープを用いて目視によってパターン、文字、数字、マークを直接見ることも可能である。
　【００３４】上記したような本発明は他の記録媒体として、磁気記録媒体と組み合わせ、図１５の断面図に示すような感熱磁気記録媒体２１とすることも可能である。感熱磁気記録媒体２１は基材２２、磁気記録層２３、隠蔽層２４、感熱記録層２５、保護層２６からなる。磁気記録層２３はγ−Ｆｅ２Ｃｏ３、Ｃｏ被着γ−Ｆｅ２Ｃｏ３、Ｆｅ３Ｏ４、Ｂａフェライト、Ｆｅ等の磁性粉を適当な樹脂或いはインキビヒクル中に分散させた塗液をロールコート法、ナイフエッジ法、グラビア印刷法、スクリーン印刷法などの塗布、印刷方法を用いて塗布、乾燥し、形成したものである。隠蔽層２４はＡｇ、Ｃｒ、Ａｌ、Ｓｎ等の鱗片状にした非磁性金属粉末をポリビニルアルコール、ポリメタクリル酸樹脂等のバインダー溶液に分散した塗液をロールコート法、ナイフエッジ法、グラビア印刷法、スクリーン印刷法などの塗布、印刷方法を用いて塗布、乾燥し、形成したものである。基材２２、感熱記録層２５、保護層２６については上述した構成をとることができる。すなわち感熱記録層２５は第１の発明の感熱記録層および第２の発明の感熱記録層のどちらも用いることができる。本実施例では図１５に示すように感熱記録層２５に第１の発明の感熱記録層を用いており、図中の２７は第１の感熱発色材料に記録された情報パターンであり、２８は第１の感熱発色材料に記録された情報パターンである。これらの情報パターンは上述した作用効果を等しく有するものである。
　【００３５】これによれば磁気記録層に記録された情報と、感熱記録層の光学的な記録情報を合わせて情報記録媒体上に記録することができ、双方が関連する情報であれば、読み取り装置が無くても感熱記録層に記録された情報から内容の確認が可能となり、しかもその情報の真偽を感熱記録層に記録された別の情報から確認することができ、偽造、変造、改竄を発見することができる。
　【００３６】
　【発明の効果】以上述べたように本発明によれば、発色時に赤外波長領域に光吸収特性を有する第１の感熱発色材料と、第１の感熱発色材料と発色温度が異なり、かつ発色時に赤外波長領域に光吸収特性の無い第２の感熱発色材料とを主成分とする混合体により感熱記録層を形成するため、２種類の情報の記録することができる。とくに同一情報を同一パターンで記録した場合、第１の感熱発色材料の発色温度での記録と、その発色温度と異なる第２の感熱発色材料の発色温度での記録が同一面上のほぼ同じ位置に重なって存在するように見えるため、感熱情報記録媒体表面の可視波長領域で読み取られる情報は容易に読み取ることができるが、それに重なり、肉眼では識別が困難な赤外波長領域で読み取られる情報の存在を知ることを困難とし、これを真偽判別の手段とすることができる。さらに第２の感熱発色材料の発色のみの記録を行い、これらの記録をダミー情報とし、また真の情報の第１の感熱発色材料への記録をダミー情報の記録と一部重なるように形成すれば、これらは色相の差が無いことから、真の情報である第１の感熱発色材料の発色を検知することは困難とする効果を奏する。
　【００３７】また感熱記録層を発色時に赤外波長領域に光吸収特性を有する第１の感熱発色材料を主成分とする第１の感熱記録層と、
第１の感熱記録層に記録する情報と異なるダミー情報を記録するようにした、
【図面の簡単な説明】
　【図１】本発明の第１の発明の感熱情報記録媒体の平面図である。
　【図２】図１のＸ−Ｘ’線における断面図である。
　【図３】第１の感熱発色材料の示す発色濃度−エネルギー曲線を表すグラフである。
　【図４】第２の感熱発色材料の示す発色濃度−エネルギー曲線を表すグラフである。
　【図５】第２の感熱発色材料が発色した部分の分光反射特性を表すグラフである。
　【図６】第１および第２の感熱発色材料の未発色部分の分光反射特性を表すグラフである。
　【図７】第１の感熱発色材料が発色した部分の分光反射特性を表すグラフである。
　【図８】本発明の第
２
　【図９】図８のＹ−Ｙ’線における断面図である。
　【図１０】第１の感熱記録層の示す発色濃度−エネルギー曲線を表すグラフである。
　【図１１】第２の感熱記録層の示す発色濃度−エネルギー曲線を表すグラフである。
　【図１２】第２の感熱記録層の発色した部分の分光反射特性を表すグラフである。
　【図１３】第１および第２の感熱記録層の未発色部分の分光反射特性を表すグラフである。
　【図１４】第１の感熱発色材料が発色した部分の分光反射特性を表すグラフである。
　【図１５】本発明の他の実施例である感熱磁気記録媒体の断面図である。
　【符号の説明】
１、１１、２１　　感熱情報記録媒体
２、１２、２２　　基材
３、２５　　　　　感熱記録層
４、１５、２６　　保護層
５、１６、２７　　可視光で読み取り可能な情報（パターン情報）
１３　　　　　　　　第１の感熱記録層
１４　　　　　　　　第２の感熱記録層
６、１７、２８　　赤外波長領域で読み取り可能な情報（パターン情報）
２３　　　　　　　　磁気記録層
２４　　　　　　　　隠蔽層